(57)【要約】【課題】  エレベーターの複数のテールコードの動きを抑制することができるテールコード挙動抑制装置を提供する。【解決手段】  テールコード挙動抑制装置は、２本のテールコード１ａ、１ｂ同志を連結する複数の連結具２０を備えている。連結具２０はテールコード１ａ、１ｂの長手方向に沿って所定間隔をもって複数配置されている。連結具２０は各テールコード１ａ、１ｂを保持するブラケット２、２と、ブラケット２、２間を連結するワイヤーロープ３ａとを有している。【選択図】  図１
2005298119.tif 000002
【特許請求の範囲】
【請求項１】
エレベーターのかごと昇降路の壁との間に設置された少なくとも２本以上のテールコードの挙動を抑制するテールコード挙動抑制装置において、
各テールコード同志を連結する複数の連結具を備え、
この連結具はテールコードの長手方向に沿って配置されていることを特徴とするエレベーターのテールコード挙動抑制装置。
【請求項２】
各連結具は各テールコードを保持するブラケットと、ブラケット同志を連結するワイヤーロープとからなることを特徴とする請求項１に記載のエレベーターのテールコード挙動抑制装置。
【請求項３】
連結具のワイヤーロープは伸縮性の材料からなることを特徴とする請求項２に記載のエレベーターのテールコード挙動抑制装置。
【発明の詳細な説明】
【技術分野】
【０００１】
本発明は、エレベーターのテールコード挙動抑制装置に関する。
【背景技術】
【０００２】
従来のエレベーター装置においては、エレベーターのかご９と、昇降路４の型との間に少なくとも２本のテールコード１が設けられている（図５参照）。
【０００３】
図５において、エレベーターのかご９が最下階付近に下降し、かご９下のテールコード懸架部９ａとテールコード１下端のＵ字部５が接近すると、Ｕ字部５がかご９から離れる方向に膨らむ。このときテールコード１が引っ掛かり防止用の保護金網１４を押してしまう。この際、図６に示すように、テールコード１が外側テールコード１ａと内側テールコード１ｂとからなる重ね吊りタイプとなっていると（図６ａ）、通常時の状態（図６（ｂ））から、外側テールコード１ａと内側テールコード１ｂが互いに押し出す現象が発生する状態（図６（ｃ））へ移行する。ここで図６（ｂ）（ｃ）は図６（ａ）のＡ方向矢視図である。この様に、テールコード１が複数のテールコード１ａ、１ｂからなる場合には、テールコード１ａとテールコード１ｂが干渉し挙動不良が生じることがある。複数のテールコード１ａ、１ｂに挙動不良が生じると、テールコード１ａ、１ｂが昇降路４やかご９に接触しテールコード１ａ、１ｂが損傷したり騒音を発生させる。またテールコード１ａ、１ｂの絡まりや昇降路機器への引っ掛かりが起きるとエレベーター故障となる場合がある。
【０００４】
従来より、テールコードの制振装置としては、地震や台風による建物の揺れが原因で発生するテールコードの揺れを抑えるものが提案されている（特許文献１−３）。
【特許文献１】特開平６−２３４４８１公報
【特許文献２】特開平８−１１９５５８公報
【特許文献３】特許公報２５１２７９３号公報
【発明の開示】
【発明が解決しようとする課題】
【０００５】
上述した従来のエレベーターのテールコードの制振装置は、テールコード全体の揺動を抑えることが目的で、並列や重ねて吊り下げられた複数のテールコード各々の干渉に困る挙動不良を抑えるものではない。またテールコードの揺動を抑える為に、懸架部に制振装置を設けたものでは、昇降工程が長くなった場合、テールコード下端Ｕ字部の挙動を抑制することができない。また、昇降路の壁に制振装置を設けるものでは、昇降路に複数台のエレベーターが隣接して設置される場合、あるいはオープンタイプの昇降路の場合、いずれも制振装置の設置が困難であり、コストも掛かる。
【０００６】
更に、既設のエレベーターに後付けで制振装置を設ける場合、設置に時間が掛かり、エレベーターの運行を長時間停止せざるを得ず、この場合は利用者へのサービス低下が起こり得る。
【０００７】
本発明は、このような点を考慮してなされたものであり、複数のテールコードの挙動不良を抑制させ、かつ取付が容易なテールコード挙動抑制装置を提供することを目的とする。
【課題を解決するための手段】
【０００８】
本発明は、エレベーターのかごと昇降路の壁との間に設置された少なくとも２本以上のテールコードの挙動を抑制するテールコード挙動抑制装置において、各テールコード同志を連結する複数の連結具を備え、この連結具はテールコードの長手方向に沿って配置されていることを特徴とするエレベーターのテールコード挙動抑制装置である。
【０００９】
本発明は、各連結具は各テールコードを保持するブラケットと、ブラケット同志を連結するワイヤーロープとからなることを特徴とするエレベーターのテールコード挙動抑制装置である。
【００１０】
連結具のワイヤーロープは伸縮性の材料からなることを特徴とするエレベーターのテールコード挙動抑制装置である。
【発明の効果】
【００１１】
本発明によれば、複数のテールコードを断続的に連結具により連結することができ、互いのテールコードの動きを拘束することができ、かつテールコード全体の剛性を上げることができる。このためテールコードの挙動不良を抑制することができる。さらに本発明によれば、テールコード挙動抑制装置の取付が簡単で、且つ既存のエレベーターにも用いることができる。
【発明を実施するための最良の形態】
【００１２】
以下、図面を参照して本発明の実施の形態について説明する。
【００１３】
図１乃至図４は本発明によるエレベーターのテールコード挙動抑制装置を示す図である。
【００１４】
まず図３によりエレベーターの概略を示す。
【００１５】
図３は、エレベーター全体概略の構成を示したもので、図３に示すように、昇降路４内をエレベーターかご９が昇降する。エレベーターかご９と昇降路４の壁との間に、電力線や制御線が入ったテールコード１が吊り下げられ、テールコード１の昇降路側の端末は、昇降路４に設けられたジャンクションボックス１２に接続されている。テールコード１は、自重で垂れ下がり下端部はＵ字部５となっている。一方、エレベーターかご９はローラガイド１１をレール２１に沿って走行させることにより昇降するようになっており、エレベーターかご９はメインロープ８を介してカウンターウェイト１０に連結されている。またメインロープ８は機械室６内に配置された巻上機７に掛け渡され、さらにカウンターウェイト１０とエレベーターかご９とはコンペンロープ１３により連結されている。
【００１６】
図４（ａ）（ｂ）（ｃ）に示すように、テールコード１下端のＵ字部５はかご９の昇降に伴い移動する。かご９の速度や加速度が小さい場合は、このＵ字部５は安定するが、かご９の速度や加速度が大きいと、このＵ字部５が崩れテールコード１の挙動不良が発生することがある。
【００１７】
このようなテールコード１の挙動不良を防止するため、本発明によるテールコード挙動抑制装置が設けられている。
【００１８】
図１および図２（ａ）に示すように、エレベーターかご９と昇降路４の壁との間に配置されたテールコード１は、２本の外側テールコード１ａと内側テールコード１ｂとからなっている。テールコード挙動抑制装置は２本のテールコード１ａ、１ｂ同志を連結する複数の連結具２０を備え、各連結具２０はテールコード１ａ、１ｂの長手方向に沿って所定間隔をおいて配置されている。
【００１９】
また連結具２０は各テールコード１ａ、１ｂを保持するブラケット２、２と、ブラケット２、２同志を連結するワイヤ３ａとを有している。
【００２０】
ここで図１は、重ね合わされたテールコード１ａ、１ｂの下端Ｕ字部５を示す斜視図であり、外側テールコード１ａと内側テールコード１ｂに、互いを連結するため、連結具２０のブラケット２が一定の間隔で取り付けられている。ここで一定の間隔とは、下端のＵ字部５の部分に、少なくとも一箇所のブラケット２が常に配置されるような間隔をいい、概ね１ｍとなっている。連結具４のブラケット２の両端には、ブラケット２を直接あるいは間接的に繋ぎ止めることができる様、丸穴や長穴の加工がされており、ブラケット２はテールコード１ａ、１ｂを挟み込む形で取り付けられる。
【００２１】
本実施の形態において、外側テールコード１ａと内側テールコード１ｂを保持するブラケット２同志が上述のようにワイヤーロープ３ａで連結されている。このワイヤーロープ３ａは、テールコード１ａ、１ｂの下端のＵ字部５の段差、および外側テールコード１ａと内側テールコード１ｂの長さの差を吸収できる長さとなっており、ワイヤーロープ３ａをスプリング等の伸縮性の材料から形成してもよい。
【００２２】
なお、テールコード１を重ね吊りされた２本のテールコード１ａ、１ｂから構成した例を示したが、これに限らずテールコード１を並列吊りされた２本のテールコード１ｃ、１ｄから構成してもよい（図２（ｂ））。図２（ｂ）において、テールコード１ｃ、１ｄを保持するブラケット２、２はボルト３ｂにより連結されている。
【００２３】
次にこのような構成からなる本実施の形態の作用について説明する。
【００２４】
図１および図２（ａ）において、重ね吊りされたテールコード１ａ、１ｂに前後方向のずれが発生する場合（図６参照）、互いのテールコード１ａ、１ｂからの押出力がワイヤーロープ３により拘束される。このため一定の距離を越えてテールコード１ａ、１ｂが広がることはない。テールコード１ａ、１ｂ間の連結具２０は一定の間隔で複数取り付けられているため、テールコード１ａ、１ｂの下端のＵ字部５の位置が移動しても、常にＵ字部５に連結具２０を配置することができ、常時Ｕ字部５の挙動を抑制することが可能となる。
【００２５】
また、連結具２０のブラケット２両端をワイヤーロープ２で繋いでいる為、屋外エレベーターなどでテールコード１が風の影響を受ける場合、それぞれのテールコード１ａ、１ｂが単独で裏返ることを抑制することができる。
【００２６】
一方、図２（ｂ）において並列吊りのテールコード１ｃ、１ｄにおいて、連結具２０のブラケット２は直接ボルト類３ｂで連結されているため、テールコード１ｃ、１ｄの下端のＵ字部５の曲げの軸方向にテールコード１ｃ、１ｄが延長される形となる。このためテールコード１ｃ、１ｄ全体の前後方向に対する剛性が上がり、挙動不良を起こし難くなる。また、それぞれのテールコード１ｃ、１ｄが単独で裏返ることを抑制することができる。
【００２７】
以上のように本実施の形態によれば、テールコード挙動抑制装置は、既設のエレベーターのテールコード１ａ、１ｂ、１ｃ、１ｄにも、比較的短時間で後付けすることが可能となる。したがって、装置の取り付け時間が短く、コストダウンを図ることができる。また、従来テールコードの剛性を上げるには、断面係数の高いテールコードを新たに製作する必要があったが、本発明によれば従来のテールコードの挙動不良を低減することができる。さらに、本発明では昇降路の形状に関わらず挙動不良の対策を講じることができる。
【図面の簡単な説明】
【００２８】
【図１】本発明によるエレベーターのテールコード挙動抑制装置を示す斜視図。
【図２】テールコード挙動抑制装置の水平断面図。
【図３】エレベーターの全体概略構成図。
【図４】かごの移動時のとテールコード形状を表す概略図。
【図５】従来のエレベーターにおける最下階付近でのかご下降時のテールコード形状を表す概略図。
【図６】テールコードの挙動不良を表す概略図。
【符号の説明】
【００２９】
１  テールコード
１ａ  外側テールコード
１ｂ  内側テールコード
２  ブラケット
３ａ  ワイヤーロープ
３ｂ  ボルト
４  昇降路
５  Ｕ字部
６  機械室
７  巻上機
８  メインロープ
９  かご
１０  カウンターウェイト
１１  ローラガイド
１２  ジャンクションボックス
１３  コンペンロープ
１４  保護金網
１５  金網取付腕
２０  連結具
２１  レール
【図１】
2005298119.tif 000003
【図２】
2005298119.tif 000004
【図３】
2005298119.tif 000005
【図４】
2005298119.tif 000006
【図５】
2005298119.tif 000007
【図６】
2005298119.tif 000008